(57)【特許請求の範囲】
【請求項１】
握り手摺と手つき棚とを備えた立ち座り手摺であって、手つき棚の下側に収まるようにして、１又は複数の収納ユニットを選択的に組み込んでなり、前記握り手摺は、壁面に沿って縦方向に延びる棒状の縦握り部と、壁面と直交する方向に延びる棒状の横握り部とを連続させてなり、その握り手摺の横握り部を、前記手つき棚の壁面と直交する方向に延びる端部に係合させることで、握り手摺と手つき棚とを組み合わせるとともに、前記縦握り部の上端部分を、手を掛ける手掛け部として機能する全体的に丸みを帯びたブラケットを介して壁面に固定したことを特徴とする収納機能を備えた立ち座り手摺。
【請求項２】
手つき棚の下側に、丈の短い第１収納ユニットと、丈の長い第２収納ユニットとを、それらの下端部分の高さレベルを揃えるようにして並設し、この第１収納ユニットと手つき棚との間に紙巻き器を配置するようにした請求項１記載の収納機能を備えた立ち座り手摺。
【発明の詳細な説明】
【０００１】
【発明の属する技術分野】
この発明は、トイレや浴室、玄関等の壁面に取り付けて、立ち座り動作を補助する収納機能を備えた立ち座り手摺に関する。
【０００２】
【従来の技術】
一般に、トイレの壁面に取り付けるものとして、トイレットペーパーを保持する紙巻き器、トイレットペーパーや各種の清掃用具を収納するラック等の収納器、また便器に対する立ち座り動作を補助するための手摺がある。従来において、これら部品は、壁面の異なる場所に別々に取り付けられていた。
【０００３】
【発明が解決しようとする課題】
しかしながら、こうような部品をトイレの壁面に別々取り付ける場合、各部品の取付位置を夫々設定しなければならず、このため施工が煩雑になり、統一感がなくて見た目も悪く、さらにはトイレ内の有効スペースを狭めてしまうといった不具合もあった。
【０００４】
しかも、手摺としては、単なる棒状手摺の他に、例えば図１６に示すように、鉛直方向に延びた縦握り部(１)と、水平方向に延びた横握り部(２)とを連続させたＬ型手摺があるが、単に縦横の握り部を握るといった使い方しかできないので使用性に乏しく、トイレに入室してから退室するまでの行為全般を効果的に補佐することはできなかった。
【０００５】
この発明は、上記の不具合を解消して、施工性及び使用性に優れ、見栄えも良好で、省スペース化も実現することができる収納機能を備えた立ち座り手摺の提供を目的とする。
【０００６】
【課題を解決するための手段】
上記課題を解決するため、この発明の立ち座り手摺は、握り手摺と手つき棚とを備えた立ち座り手摺であって、手つき棚の下側に収まるようにして、１又は複数の収納ユニットを選択的に組み込んでなることを特徴とする。
【０００７】
そして、握り手摺は、壁面に沿って縦方向に延びる棒状の縦握り部と、壁面と直交する方向に延びる棒状の横握り部とを連続させてなり、握り手摺の横握り部を、手つき棚の壁面と直交する方向に延びる端部に係合させることで、握り手摺と手つき棚とを組み合わせるとともに、前記縦握り部の上端部分を、手を掛ける手掛け部として機能する全体的に丸みを帯びたブラケットを介して壁面に固定している。
【０００８】
また、手つき棚の下側に、丈の短い第１収納ユニットと、丈の長い第２収納ユニットとを、それらの下端部分の高さレベルを揃えるようにして並設し、この第１収納ユニットと手つき棚との間に紙巻き器を配置するようにしている。
【０００９】
【発明の実施の形態】
以下、この発明の一実施形態を図面に基づいて詳細に説明する。図１は、この発明の一実施形態に係る収納機能付き立ち座り手摺の取付状態を示す斜視図、図２は、同じくその正面図、図３は、同じくその側面図、図４は、握り手摺のブラケット付近の縦断面図、図５は、握り手摺の連結部付近の縦断面図、図６は、横握り部の係合溝に手つき棚の端部を嵌め込むときの状態を示す斜視図、図７は、収納器の内部を示す斜視図、図８は、紙巻き器及び第１収納ユニット部分の縦断面図、図９は、第２ユニット部分の縦断面図である。
【００１０】
この実施形態に係るトイレ用の立ち座り手摺(10)は、握り手摺(11)と手つき棚(12)とを備えており、洋式の便器(13)の側方に位置するトイレの壁面(14)に取り付けられている。
【００１１】
握り手摺(11)は、壁面(14)に沿って縦方向に延びる棒状の縦握り部(15)と、壁面(14)と直交する方向に延びる棒状の横握り部(16)とが連結部(17)を介して連結されてなる。
【００１２】
縦握り部(15)は、耐衝撃性に優れたＡＢＳ樹脂製であって、その直径が約３０ｍｍの握り易い太さとなっており、さらに使用者すなわち便器(13)に座った人から見て鉛直方向に対して前方に約１５゜傾いていて、便器(13)に座るとき及び便器(13)から立ち上がるときに下方かつ後方に引っ張り易く、力をかけ易くなっている。
【００１３】
この縦握り部(15)は、その上端部分がブラケット(20)を介して壁面(14)に固定されている。このブラケット(20)は、図４に示すように、縦握り部(15)の上端部に被さる第１キャップ(21)と、壁面(14)にビス(22)(22)止めした有底略筒状のブラケット取付部材用(23)に被さる第２キャップ(24)とを互いに直交するようにして一体成型してなる。そして、縦握り部(15)の上端部に被さった第１キャップ(21)は、第２キャップ(24)内からねじ込んだビス(25)によって縦握り部(15)に固定されている。ブラケット取付用部材(23)に被さった第２キャップ(24)は、その下方からねじ込んだビス(26)によってブラケット取付用部材(23)に固定されている。従って、縦握り部(15)を壁面(14)に固定するために使用するビス(22)(22)(25)(26)は、外部から全く見えない或いは非常に見難い状態になっており、見栄えを良好にしている。また、このブラケット(20)は、全体的に丸みを帯びたドアのノブのような形状となっており、手を掛ける手掛け部として機能するようになっている。なお、縦握り部(15)の下端部は、後述する連結部(17)によって保持されている。
【００１４】
横握り部(16)は、金属製であって、その直径が約３０ｍｍの握り易い太さとなっていて、その下面は、図５に示すように、指が掛かり易いように湾曲した状態で窪んでいる。この横握り部(16)には、図６に示すように、その壁面(14)側の一端部から他端部に向かって横向きの係合溝(30)が形成されている。
【００１５】
連結部(17)は、金属製であって、図５及び図６に示すように、横握り部(16)の壁面(14)側の端部から上方に向かって延出したアーム(31)と、このアーム(31)の上端部から延出したホルダー(32)からなる。アーム(31)は、鉛直方向に対して縦握り部(15)の傾斜方向とは逆方向に傾いており、壁面(14)にビス(33)(33)止めされている。なお、アーム(31)にはカバー(34)が被せられ、ビス(33)(33)が外部に露出しないようにしている。ホルダー(32)は、壁面(14)から離間しながら上方に立ち上がり、その上端部には、縦握り部(15)の下端部を挿入する差込み孔(35)が形成されている。この差込み孔(35)に挿入された縦握り部(15)の下端部は、ホルダー(32)にビス(36)止めされている。
【００１６】
手つき棚(12)は、木製で、略長方形状に形成されており、図１１に示すように、その下面に取り付けた垂直ブラケット(55)及びＬ型ブラケット(56)を夫々ビス(57)(57)(58)止めすることによって、壁面(14)に水平状態で取り付けられている。なお、垂直ブラケット(55)やＬ型ブラケット(56)は、後述する収納ユニット(61)(62)や紙巻き器(41)によって隠されて外部からは見えないようになっている。
【００１７】
上記の握り手摺(11)と手つき棚(12)とは、図５及び図６に示すように、握り手摺(11)における横握り部(16)の係合溝(30)に、手つき棚(12)における壁面(14)と直交する方向に延びる使用者から見て前側の端部(49)を嵌め込んで、横握り部(16)を手つき棚(12)の端部(49)に沿って係合させ、さらに下方から横握り部(16)及び手つき棚(12)の端部(49)にビス(50)(50)をねじ込むことによって、互いに組み合わされるようになっている。
【００１８】
このようにして組み合わされた手摺部分に対して、その手つき棚(12)の下側には、図１及び図７に示すように、トイレットペーパー(40)や各種トイレ清掃用品を収納する収納ユニット(61)(62)、トイレットペーパー(40)を保持する紙巻き器(41)が選択的に組み込まれるようになっている。なお、この実施形態においては、丈の異なる２つの収納ユニット(61)(62)及び紙巻き器(41)を、手つき棚(12)の下側に組み込んだバリエーションの一例を示しているが、第１収納ユニット(61)のみ、第２収納ユニット(62)のみ、或いはこれらに紙巻き器(41)を合わて組み込むようにしても良い。
【００１９】
丈の短い第１収納ユニット(61)は、図７及び図８に示すように、壁面(14)側とは反対側に面が開放したＡＢＳ樹脂製の箱形の本体(63)と、この本体(63)の開口部分に取り付けられたＡＢＳ樹脂製の開閉扉(64)とからなり、本体(63)の内部には棚板(65)が高さ調節可能に取り付けられている。そして、この第１収納ユニット(61)は、その本体(63)の背面板が壁面(14)にビス(66)(66)止めされることによって、壁面(14)に固定されるようになっている。
【００２０】
また、丈の長い第２収納ユニット(62)は、図７及び図９及びに示すように、壁面(14)側とは反対側に面が略Ｌ形に開放したＡＢＳ樹脂製の箱形の本体(67)と、この本体(67)の開口部分に取り付けられたＡＢＳ樹脂製の開閉扉(68)とからなる。本体(67)の内部には、略扇形の棚板(69)が取り付けられ、開閉扉(68)の裏面には、清掃用具受け(70)が取り付けられている。そして、この第２収納ユニット(62)は、その背面板が壁面(14)にビス(71)(71)止めされることによって、壁面(14)に固定されるようになっている。
【００２１】
紙巻き器(41)は、図１及び図８に示すように、その背面板が壁面にビス(72)止めされることによって、壁面(14)に固定されるようになっている。なお、ビス(72)は、トイレットペーパー(40)等の裏側に隠れて外部には露出しない。図８中、(45)は、ペーパーカッター、(46)は、トイレットペーパー(40)を回転自在に支持するペーパー芯軸である。
【００２２】
上記の収納ユニット(61)(62)及び紙巻き器(41)は、手つき棚(12)よりも側方に突出することなく手つき棚(12)の下側に納まるようにして、壁面(14)に沿って配されるようになっている。
【００２３】
次に、上記の立ち座り手摺(10)の壁面(14)への取付方法について説明する。まず、図１０に示すように、便器(13)の先端より基準線(Ｋ)を引いて、この基準線(Ｋ)に従って型紙(51)を壁面(14)に貼り付ける。そして、この型紙(51)に予め記載されているビスねじ込み位置に合わせて壁面(14)に下穴をあけた後、型紙(51)を取り外す。次に、図１１に示すように、垂直ブラケット(55)やＬ型ブラケット(56)を取り付けた手つき棚(12)を用意し、この手つき棚(12)を水平状態に保ちながら、そのビス(57)(57)(58)止め箇所と壁面(14)の下穴とを一致させて、手つき棚(12)を壁面(14)にビス(57)(57)(58)止めする。
【００２４】
続いて、図１２に示すように、手つき棚(12)の端部(49)に沿って握り手摺(11)の横握り部(16)を係合することで、握り手摺(11)を、そのブラケット(20)及び連結部(17)を壁面(14)に押し付けた状態で壁面(14)に対して位置決めする。このときの横握り部(16)の係合は、その係合溝(30)に手つき棚(12)の端部(49)を嵌め込むことによって行う。
【００２５】
握り手摺(11)のブラケット(20)には、接着面を有するブラケット取付用部材(23)が予め着脱自在に挿入されており、この握り手摺(11)の位置決め時に、ブラケット取付用部材(23)の接着面を壁面(14)に押し当ることで、ブラケット取付用部材(23)を壁面(14)に貼り付ける。そして、図１３に示すように、握り手摺(11)を取り外すことによって、ブラケット(20)を壁面(14)から一旦離間させて、ブラケット取付用部材(23)を露出させる。この状態で、ブラケット取付用部材(23)のビス(22)(22)止め箇所に対応して壁面(14)に下穴をあけた後、露出したブラケット取付用部材(23)を壁面(14)にビス(22)(22)止めする。
【００２６】
そして、握り手摺(11)を再び上述した位置決め状態にして、そのブラケット(20)をブラケット取付用部材(23)に被せる。この状態で、図１４に示すように、ブラケット(20)をブラケット取付用部材(23)にビス(26)止めし、連結部(17)のアーム(31)をビス(33)(33)止めし、さらに横握り部(16)を手つき棚(12)の端部(49)にビス(50)(50)止めし、アーム(31)にはカバー(34)を被せる。
【００２７】
このようして手摺部分を取り付けた後、図１５に示すように、紙巻き器(41)を、手つき棚(12)の下面及び垂直ブラケット(55)の一方の垂直面に押し付けて位置決めしながら、壁面(14)にビス(72)止めする。また、第２収納ユニット(62)を、手つき棚(12)の下面及び垂直ブラケット(55)の他方の垂直面に押し付けて位置決めしながら、壁面(14)にビス(71)(71)止めする。さらに、第１収納ユニット(61)を、紙巻き器(41)の下部及び第２収納ユニット(62)の側部に押し付けて位置決めしながら、壁面(14)にビス(66)(66)止めする。なお、このユニット(61)(62)や紙巻き器(41)の取り付けは、使用者の要望等に応じて適宜選択的に行えば良い。これによって、立ち座り手摺(10)の壁面(14)への取り付けが完了する。
【００２８】
このような立ち座り手摺(10)においては、縦握り部(15)及び横握り部(16)を握る、ブラケット(20)に手を掛ける、手つき棚(12)に手をつく等のバリエーションに富んだ使い方をごく自然に行うことができる。
【００２９】
また、握り手摺(11)の横握り部(16)と手つき棚(12)の端部(49)とが一体化して両者が組み合わされ、しかも収納ユニット(61)(62)や紙巻き器(41)も一体となって製品化されているので、全体としてまとまりのあるデザインとすることができ、見栄えを良好にすることができる。しかも、各種のビスが外部から見えない状態となっているので、さらなる見栄えの向上を図ることができる。
【００３０】
なお、この発明は、上記実施形態に限定されるものではなく、この発明の範囲内で上記実施形態に多くの修正及び変更を加え得ることは勿論である。
【００３１】
【発明の効果】
以上の説明から明らかなように、この発明の立ち座り手摺は、手つき棚の下側に収まるようにして、収納ユニットを選択的に組み込んでいるので、従来のようにこれらを壁面の異なる場所に別々に取り付けるときと比べて、取付位置を簡単に設定して施工性の向上を図ることができる。しかも、このように手摺部分と収納ユニットを一体的にまとめることによって、統一感を持たせて見栄えを良好にすることができ、さらには省スペース化も実現することができる。
【００３２】
また、縦横の握り部を連続させた握り手摺と手つき棚とを備えているので、バリエーションに富んだ使い方が可能で、トイレに入室してから退室するまでの行為全般を効果的に補佐することができ、使用性の向上を図ることができる。
【００３３】
さらに、握り手摺の横握り部を手つき棚の端部に沿って係合させることで、握り手摺と手つき棚とを組み合わせているので、全体としてまとまりのデザインとすることができ、見栄えをさらに向上することができる。
【図面の簡単な説明】
【図１】この発明の一実施形態に係る収納機能を備えた立ち座り手摺の取付状態を示す斜視図である。
【図２】同じくその正面図である。
【図３】同じくその側面図である。
【図４】握り手摺のブラケット付近の縦断面図である。
【図５】握り手摺の連結部付近の縦断面図である。
【図６】横握り部の係合溝に手つき棚の端部を嵌め込むときの状態を示す斜視図である。
【図７】収納器の内部を示す斜視図である。
【図８】紙巻き器及び第１収納ユニット部分の縦断面図である。
【図９】第２ユニット部分の縦断面図である。
【図１０】トイレの壁面に型紙を貼り付けた状態を示す斜視図である。
【図１１】手つき棚を取り付けるときの状態を示す斜視図である。
【図１２】握り手摺を位置決めするときの状態を示す斜視図である。
【図１３】ブラケット取付用部材を固定するときの状態を示す斜視図である。
【図１４】各部位をビス止めしてカバーを取り付けるときの状態を示す斜視図である。
【図１５】紙巻き器及び収納器を取り付けるときの状態を示す斜視図である。
【図１６】従来のＬ型手摺の斜視図である。
【符号の説明】
(11)  握り手摺
(12)  手つき棚
(14)  壁面
(15)  縦握り部
(16)  横握り部
(41)  紙巻き器
(49)  手つき棚の端部
(61)  第１収納ユニット
(62)  第２収納ユニット
【図１】
0003791754.tif 000002
【図２】
0003791754.tif 000003
【図３】
0003791754.tif 000004
【図４】
0003791754.tif 000005
【図５】
0003791754.tif 000006
【図６】
0003791754.tif 000007
【図７】
0003791754.tif 000008
【図８】
0003791754.tif 000009
【図９】
0003791754.tif 000010
【図１０】
0003791754.tif 000011
【図１１】
0003791754.tif 000012
【図１２】
0003791754.tif 000013
【図１３】
0003791754.tif 000014
【図１４】
0003791754.tif 000015
【図１５】
0003791754.tif 000016
【図１６】
0003791754.tif 000017